(57)【要約】【課題】セカンドシートが配された吸収性物品であって、尿等の吸収性能に優れ、尿等の吸収後でもトップシートを比較的ドライに保つことができる吸収性物品を提供する。【解決手段】トップシート２とバックシート３とこれらの間に配された吸収性コア４とを有する吸収性物品１であって、トップシート２と吸収性コア４との間に、エチレン−ビニルアルコール共重合体を含む繊維で構成されたセカンドシート５が配されている。セカンドシート５は、エチレン−ビニルアルコール共重合体を含む複合繊維で構成されていることが好ましく、複合繊維は、エチレン−ビニルアルコール共重合体が鞘を形成する芯鞘複合繊維であることが好ましい。【選択図】図２
2014113239.tif 000002
【特許請求の範囲】
【請求項１】
トップシートとバックシートとこれらの間に配された吸収性コアとを有する吸収性物品であって、
前記トップシートと前記吸収性コアとの間に、エチレン−ビニルアルコール共重合体を含む繊維で構成されたセカンドシートが配されていることを特徴とする吸収性物品。
【請求項２】
前記セカンドシートは、エチレン−ビニルアルコール共重合体を含む複合繊維で構成されている請求項１に記載の吸収性物品。
【請求項３】
前記複合繊維は、エチレン−ビニルアルコール共重合体が鞘を形成する芯鞘複合繊維である請求項２に記載の吸収性物品。
【発明の詳細な説明】
【技術分野】
【０００１】
本発明は、生理用ナプキン、尿パッド（失禁パッドを含む）、使い捨ておむつ等の吸収性物品に関するものである。
【背景技術】
【０００２】
従来、トップシートとバックシートとこれらの間に配された吸収性コアとを有し、トップシートと吸収性コアとの間にセカンドシートが配された吸収性物品が知られている。セカンドシートは吸収性物品での尿等の吸収性能を高めるために設けられ、セカンドシートを設けることにより、着用者から排泄されトップシートを通過した尿等がセカンドシートで吸収性物品の平面方向に拡散し、その結果、尿等が吸収性コアで好適に吸収されるようになる。セカンドシートが設けられた吸収性物品として、例えば特許文献１には、蛇腹状に折り畳まれたセカンドシートが設けられた吸収性物品が開示され、特許文献２には、表面に凹凸形状が付与されたセカンドシートが設けられた吸収性物品が開示され、特許文献３には、中空繊維を有する不織布から構成されたセカンドシートが設けられた吸収性物品が開示されている。
【先行技術文献】
【特許文献】
【０００３】
【特許文献１】実開平２−３９７１８号公報
【特許文献２】特開２０００−１４００１５号公報
【特許文献３】特開２０１１−５５９５９号公報
【発明の概要】
【発明が解決しようとする課題】
【０００４】
上記のように、従来様々なセカンドシートが提案されているが、吸収性物品としての性能をさらに向上することができるセカンドシートが求められている。本発明は前記事情に鑑みてなされたものであり、その目的は、セカンドシートが配された吸収性物品であって、尿等の吸収性能に優れ、尿等の吸収後でもトップシートを比較的ドライに保つことができる吸収性物品を提供することにある。
【課題を解決するための手段】
【０００５】
前記課題を解決することができた本発明の吸収性物品とは、トップシートとバックシートとこれらの間に配された吸収性コアとを有し、トップシートと吸収性コアとの間に、エチレン−ビニルアルコール共重合体を含む繊維で構成されたセカンドシートが配されているところに特徴を有する。エチレン−ビニルアルコール共重合体を含む繊維から構成されたセカンドシートは、高い親水性を有するにも関わらず、保水性を低く形成することができる。そのため本発明の吸収性物品は、トップシートを通過した尿等がセカンドシートにより速やかに吸収され、尿等の吸収性能が向上するとともに、尿等をトップシートからセカンドシートを通じて吸収性コアに速やかに移行させることができ、吸収性物品が尿等を吸収した後でもトップシートを比較的ドライに保つことが可能となり、吸収性物品の着用感を向上させることができる。
【０００６】
セカンドシートは、エチレン−ビニルアルコール共重合体を含む複合繊維で構成されていることが好ましい。セカンドシートがこのような複合繊維で構成されていれば、セカンドシートの強度を高め、また、保水性を低くすることができる。さらに、複合繊維は、エチレン−ビニルアルコール共重合体が鞘を形成する芯鞘複合繊維であることが好ましく、このような芯鞘複合繊維を用いることにより、セカンドシートでの尿等の拡散性を確保しつつ、セカンドシートの保水性を下げることができる。
【発明の効果】
【０００７】
本発明の吸収性物品は、トップシートと吸収性コアの間にエチレン−ビニルアルコール共重合体を含む繊維から構成されたセカンドシートが配されているため、吸収性物品に排泄された尿等がセカンドシートで速やかに吸収され、尿等の吸収性能が向上する。また、セカンドシートは保水性が低いため、吸収性物品が尿等を吸収した後でもトップシートを比較的ドライに保つことが可能となり、吸収性物品の着用感を向上させることができる。
【図面の簡単な説明】
【０００８】
【図１】本発明の吸収性物品（尿パッド）の平面図を表す。
【図２】図１に示した吸収性物品のＡ−Ａ断面図を表す。
【発明を実施するための形態】
【０００９】
本発明の吸収性物品は、トップシートとバックシートとこれらの間に配された吸収性コアとを有し、トップシートと吸収性コアとの間にセカンドシートが配されている。本発明の吸収性物品は、例えば、尿パッド（失禁パッドを含む）や生理用ナプキン等に適用できる。
【００１０】
トップシートは、吸収性物品の着用の際に着用者側に位置するシートであり、液透過性であることが好ましい。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００１１】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００１２】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００１３】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００１４】
吸収性コアは、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００１５】
吸収性コアの形状（平面形状）は特に限定されない。吸収性コアの形状は、用途に応じて適宜決定すればよく、例えば、略長方形、砂時計型、ひょうたん型、羽子板型等が挙げられる。
【００１６】
セカンドシートは、トップシートと吸収性コアとの間に配されるシートであり、着用者から排泄されトップシートを透過した尿等が吸収性物品の平面方向に好適に拡散できるようにするために設けられる。
【００１７】
セカンドシートは、トップシートに隣接して設けられることが好ましい。また、セカンドシートは、吸収性コアに隣接して設けられることが好ましい。
【００１８】
セカンドシートがトップシートに隣接して設けられる場合、セカンドシートはトップシートに接合・固定していることが好ましく、それによって吸収性物品の構造安定性が向上する。この場合、セカンドシートはトップシートに接着剤により固定されることが、吸収性物品の製造容易性の点から好ましい。接着剤としては、ゴム系、ポリオレフィン系、酢酸ビニル系等のホットメルト接着剤を用いることが好ましい。
【００１９】
本発明の吸収性物品では、セカンドシートがエチレン−ビニルアルコール共重合体を含む繊維で構成されている。エチレン−ビニルアルコール共重合体は親水性が非常に高く、尿等と良く馴染む性質を有する。一方でエチレン−ビニルアルコール共重合体を含む繊維は合成繊維であり、セルロール繊維等の天然繊維と比べて高度にフィブリル化（小繊維化）した構造を有しないため、フィブリル中に保持される水分量が減り、セルロース繊維ほど保水性を有しない。従って、エチレン−ビニルアルコール共重合体を含む繊維をセカンドシートの構成繊維として用いることにより、トップシートを通過した尿等がセカンドシートにより速やかに吸収され、セカンドシート中を尿等が吸収性物品の平面方向に拡散しやすくなる。その結果、本発明の吸収性物品は、着用者から排泄された尿等を速やかに吸収するとともに、吸収性コア全体が排泄物の吸収に寄与して、排泄物の吸収容量を増大させることが可能となる。さらに、セカンドシートは保水性が低く、尿等をトップシートからセカンドシートを通じて吸収性コアに速やかに移行させることができるため、吸収性物品が尿等を吸収した後でもトップシートを比較的ドライに保つことが可能となり、吸収性物品の着用感を向上させることができる。
【００２０】
エチレン−ビニルアルコール共重合体は、重合体の構成単位として、エチレン基（−ＣＨ2−ＣＨ2−）とヒドロキシエチレン基（−ＣＨ2−ＣＨ（ＯＨ）−）とを有する共重合体であればよい。エチレン−ビニルアルコール共重合体は、一般には、エチレンとビニルエステル（例えば、酢酸ビニル）との共重合体をケン化することにより製造することができる。
【００２１】
エチレン−ビニルアルコール共重合体中、ヒドロキシエチレン基の割合は２０モル％〜８０モル％（より好ましくは、２５モル％〜７５モル％）であることが好ましく、このようにエチレン−ビニルアルコール共重合体が構成されていれば、溶融紡糸により繊維形成しやすくなり、また得られた繊維に好適に親水性が付与されるようになる。また、エチレン−ビニルアルコール共重合体のケン化度は、経時安定性の点から、９０モル％以上が好ましく、９５モル％以上がより好ましい。
【００２２】
セカンドシートを構成するエチレン−ビニルアルコール共重合体を含む繊維は、エチレン−ビニルアルコール共重合体のみから形成されていてもよく、エチレン−ビニルアルコール共重合体と他の重合体とから形成されていてもよい。なお、セカンドシートの強度を高め、保水性を低くする点から、セカンドシートは、エチレン−ビニルアルコール共重合体を含む複合繊維で構成されていることが好ましい。
【００２３】
複合繊維としては、例えば、断面が芯鞘型に成分配置された芯鞘複合繊維、断面が並列型に成分配置された並列複合繊維、断面が放射型に成分配置された放射複合繊維等が挙げられる。芯鞘複合繊維は、芯と鞘とが同芯であっても偏芯であってもよい。従って、エチレン−ビニルアルコール共重合体を含む複合繊維は、繊維断面において、エチレン−ビニルアルコール共重合体からなる部分と、他の重合体（共重合体を含む）からなる部分とを有することとなる。なお、エチレン−ビニルアルコール共重合体を含む複合繊維は、エチレン−ビニルアルコール共重合体が繊維表面に露出し、例えば芯鞘複合繊維の場合は、エチレン−ビニルアルコール共重合体が鞘を形成することが好ましい。
【００２４】
複合繊維を構成する他の重合体の種類は特に限定されないが、エチレン−ビニルアルコール共重合体を含む複合繊維の形成容易性の点から、他の重合体は１５０℃以上の融点を有する重合体であることが好ましい。他の重合体としては、ポリプロピレン、エチレン−プロピレン共重合体等のポリオレフィン；ポリエチレンテレフタレート（ＰＥＴ）、ポリブチレンテレフタレート（ＰＢＴ）、ポリトリメチレンテレフタレート（ＰＴＴ）等のポリエステル；ナイロン６、ナイロン６６、ナイロン１２等のポリアミドが挙げられる。なお、他の重合体としてのポリオレフィンには、エチレン−ビニルアルコール共重合体は含まれない。他の重合体としては、複合繊維の形成容易性や製造コストの点から、ポリオレフィンまたはポリエステルが好ましく、ポリエステルがより好ましい。
【００２５】
複合繊維の形成方法は従来公知の方法を用いればよく、例えば、エチレン−ビニルアルコール共重合体と他の重合体とを、溶融状態で、所望する繊維断面に応じた口金形状を有する紡糸口金から吐出するとともに、吐出された両（共）重合体を接合することにより、エチレン−ビニルアルコール共重合体を含む複合繊維を製造できる。複合繊維は、仮撚捲縮加工等の高次加工により５角形や６角形やそれらに類似した断面形状に形成したり、紡糸口金の口金形状により円形や多葉形等の各種の断面形状に形成することができるが、複合繊維の断面形状は特に限定されない。
【００２６】
エチレン−ビニルアルコール共重合体を含む複合繊維としては、エチレン−ビニルアルコール共重合体が鞘を形成する芯鞘複合繊維であることが好ましい。このような芯鞘複合繊維を用いれば、芯鞘複合繊維の表面に親水性を十分に付与しつつ、芯鞘複合繊維自体の保水性や吸水性を下げることができるため、セカンドシートでの尿等の透過性や拡散性を確保しつつ、セカンドシートの保水性をより下げることができる。より好ましくは、芯鞘複合繊維は、芯がポリオレフィンまたはポリエステル（より好ましくはポリエステル）から構成され、鞘がエチレン−ビニルアルコール共重合体から構成される。このように芯鞘複合繊維を形成することにより、芯鞘複合繊維の強度を高め、芯鞘複合繊維の保水性を下げることができる。
【００２７】
セカンドシートは、エチレン−ビニルアルコール共重合体を含む繊維のみから構成されていてもよく、他の繊維を含むものであってもよい。他の繊維は、セカンドシートの所望する機能が発揮できる限り、その種類や含有割合は特に限定されない。例えばセカンドシートは、エチレン−ビニルアルコール共重合体を含む繊維と他の繊維との割合が、エチレン−ビニルアルコール共重合体を含む繊維／他の繊維の質量比として、２０／８０以上が好ましく、５０／５０以上がより好ましく、７５／２５以上がさらに好ましく、８５／１５以上が特に好ましい。もちろんセカンドシートはエチレン−ビニルアルコール共重合体を含む繊維のみから構成されていてもよい。
【００２８】
セカンドシートが、エチレン−ビニルアルコール共重合体を含む繊維に加え他の繊維を含む場合、エチレン−ビニルアルコール共重合体を含む繊維は、セカンドシート中に一様に存在していることが好ましい。すなわち、エチレン−ビニルアルコール共重合体を含む繊維と他の繊維とが、実質的に均一に混合されていることが好ましい。このようにエチレン−ビニルアルコール共重合体を含む繊維がセカンドシートに配されていれば、セカンドシートでの尿等の拡散性が高められる。
【００２９】
セカンドシートは、エチレン−ビニルアルコール共重合体を含む繊維で構成されており、不織布、織布、編布等の布製であればよい。なお、セカンドシートでの尿等の拡散性を高める点から、セカンドシートは不織布であることが好ましい。
【００３０】
不織布は、短繊維不織布と長繊維不織布のいずれであってもよく、その種類は特に限定されない。不織布のウェブ形成には、乾式法（カーディング法やエアレイド法等）、湿式法、スパンボンド法、メルトブロー法を採用することが好ましく、乾式法や湿式法では、繊維間結合を行う方法として、ケミカルボンド法、サーマルボンド法（エアスルー法やポイントボンド法等）、ニードルパンチ法、スパンレース法、ステッチボンド法、スチームジェット法を採用することが好ましい。つまり、セカンドシートが不織布で構成される場合、不織布としてはこのような製法により得られたものが好ましい。なかでも、不織布のウェブ形成には乾式法を採用することが好ましく、また乾式法の中でも繊維間結合方法としてサーマルボンド法を採用することが好ましい。このような製法により得られた不織布を用いれば、セカンドシートを嵩高く形成することができ、セカンドシートでの尿等の拡散性を高めることが容易になる。
【００３１】
セカンドシートの目付は特に限定されないが、目付が１０ｇ／ｍ2以上が好ましく、１５ｇ／ｍ2以上がより好ましく、また１００ｇ／ｍ2以下が好ましく、８０ｇ／ｍ2以下がより好ましい。セカンドシートの目付が１０ｇ／ｍ2以上であれば、セカンドシートの厚みがある程度確保され、セカンドシートでの尿等の拡散性が向上しやすくなる。セカンドシートの目付が１００ｇ／ｍ2以下であれば、セカンドシートに尿等が保持される量が減り、吸収性物品が尿等を吸収した後でもトップシートを比較的ドライに保つことができる。
【００３２】
セカンドシートを構成する繊維の繊度は特に限定されないが、尿等の拡散性を高める点から、１ｄｔｅｘ以上が好ましく、２ｄｔｅｘ以上がより好ましく、また１０ｄｔｅｘ以下が好ましく、８ｄｔｅｘ以下がより好ましい。
【００３３】
セカンドシートの保水性に関して、セカンドシートは吸水率が１００質量％以下であることが好ましく、７０質量％以下であることがより好ましく、５０質量％以下であることがさらに好ましく、３０質量％以下であることが特に好ましい。セカンドシートの吸水率が１００質量％以下であれば、セカンドシートの保水性が低くなり、吸収性物品が尿等を吸収した後でもトップシートを比較的ドライに保つことができる。
【００３４】
セカンドシートの吸水率は次のように求める。２０ｃｍ×２０ｃｍの大きさに切り出したセカンドシートを真空乾燥させた後の質量をＷ１とする。同じセカンドシートを用いて、十分量のイオン交換水にセカンドシートを１０分間浸した後、１０分間吊して水切りをし、さらにバスケット型遠心脱水機（例えば、株式会社コクサン製小型遠心分離器Ｈ−１１２やＨ−１１０Ａ等）を用いて５０Ｇの遠心力で１０秒間脱水を行った後の質量をＷ２とする。なお１０秒間の脱水は、遠心力が５０Ｇに達してから１０秒測り、１０秒後に遠心脱水機の回転を強制的に止めて行う。セカンドシートの吸水率を次式により求める：吸水率（％）＝（Ｗ２−Ｗ１）／Ｗ１×１００。
【００３５】
次に、本発明の吸収性物品の具体的な適用例について説明する。本発明の吸収性物品は、生理用ナプキン、尿パッド（失禁パッドを含む）、使い捨ておむつ等に適用できる。
【００３６】
吸収性物品が、生理用ナプキンである場合、生理用ナプキンは、例えば、トップシートとバックシートとの間に、セカンドシートと吸収性コアとがトップシート側からこの順番で配されて、形成される。生理用ナプキンの形状としては、略長方形、砂時計型、ひょうたん型等が示される。
【００３７】
吸収性物品が使い捨ておむつである場合、使い捨ておむつは、後背部または前腹部の左右に一対の止着部材が設けられ、当該止着部材により着用時にパンツ型に形成するオープン型使い捨ておむつであったり、前腹部と後背部とが接合されることによりウェスト開口部と一対の脚開口部とが形成されたパンツ型使い捨ておむつであってもよい。
【００３８】
吸収性物品が、使い捨ておむつである場合、使い捨ておむつは、例えば、内側シートと外側シートとからなる積層体が前腹部と後背部とこれらの間に位置する股部とからなるおむつ本体を形成し、前記股部に、トップシートとバックシートとの間にセカンドシートと吸収性コアとがトップシート側からこの順番で配された吸収性本体が備えられていてもよい。また、使い捨ておむつは、例えば、トップシートとバックシートとの間に、セカンドシートと吸収性コアとがトップシート側からこの順番で配された積層体からなり、この積層体が前腹部と後背部とこれらの間に位置する股部とを有していてもよい。なお、前腹部、後背部、股部とは、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。前記内側シートは、親水性または液不透過性であることが好ましく、前記外側シートは、液不透過性であることが好ましい。
【００３９】
吸収性物品には、吸収性コアの幅方向の両側に、立ち上がりフラップが設けられてもよい。立ち上がりフラップを設けることにより、尿等の排泄物の横漏れを防ぐことができる。立ち上がりフラップは、液不透過性であることが好ましい。
【００４０】
次に、本発明の吸収性物品について、尿パッドを例に挙げ、図１および図２を参照して説明する。図１は、吸収性物品の平面図を表す。図２は、図１に示した吸収性物品のＡ−Ａ断面図を表す。なお、図では、矢印ｘを幅方向とし、矢印ｙを長手方向と定義付ける。また、矢印ｘ，ｙにより形成される面上の方向を、平面方向と定義付ける。
【００４１】
吸収性物品１は、トップシート２とバックシート３とこれらの間に配された吸収性コア４とを有し、トップシート２と吸収性コア４との間にセカンドシート５が配されている。トップシート２は、着用者の股部の肌に面するように配置され、尿等の液体の排泄物を透過する。トップシート２を通過した尿等の排泄物は、セカンドシート５で吸収性物品１の平面方向に拡散し、その後吸収性コア４に移行して収容される。バックシート３は、排泄物が外部へ漏れるのを防いでいる。
【００４２】
セカンドシート５はエチレン−ビニルアルコール共重合体を含む繊維で構成されているため、トップシート２を通過した尿等がセカンドシート５により速やかに吸収され、尿等の吸収性能に優れるものとなる。また、セカンドシート５は保水性が低いため、吸収性物品１が尿等を吸収した後でもトップシート２を比較的ドライに保つことができる。
【００４３】
トップシート２の幅方向ｘの両側には、前後方向に延在する一対のサイドシート６が設けられている。サイドシート６はトップシート２に接合され、内方端に起立用弾性部材８が設けられている。サイドシート６は、起立用弾性部材８の収縮力によりサイドシート６の内方端が着用者の肌に向かって立ち上がり、これにより立ち上がりフラップ７が形成され、尿等の排泄物の横漏れが防止される。
【実施例】
【００４４】
以下に、実施例を示すことにより本発明を更に詳細に説明するが、本発明の範囲はこれらに限定されるものではない。
【００４５】
（１）試験方法
異なる種類のセカンドシートが配された、またはセカンドシートが配されない吸収性物品を作製して、生理食塩水の吸収速度を測定するとともに、生理食塩水吸収後のトップシートの濡れ感の官能試験を行った。吸収性物品として吸収性物品１〜４を作製し、これらの吸収性物品はセカンドシート以外は同一となるように作製した。
【００４６】
吸収性物品１では、セカンドシートとして、エチレン−ビニルアルコール共重合体が鞘を形成し、ポリエチレンテレフタレートが芯を形成する芯鞘複合繊維から構成され、目付が５０ｇ／ｍ2のエアスルー不織布を用いた。吸収性物品２では、セカンドシートとして、ポリエチレン／ポリプロピレン複合繊維から構成され、目付が１８ｇ／ｍ2のエアスルー不織布を用いた。吸収性物品３では、セカンドシートとして有孔プラスチックフィルムを用いた。吸収性物品４では、セカンドシートが設けられていなかった。なお、吸収性物品２と吸収性物品３で用いたセカンドシートは、市販の使い捨ておむつに用いられているものである。
【００４７】
生理食塩水の吸収速度は、直径２．５ｃｍの円筒パイプを吸収性物品のトップシート上に立てて、この円筒パイプを通じて１５０ｍＬの生理食塩水を吸収性物品上に供給したときに、生理食塩水が吸収性物品に完全に吸収されるまでの時間を測定した（１回目の吸収速度試験）。１回目の吸収速度試験開始から１０分後に、１回目の吸収速度試験で生理食塩水を吸収させた吸収性物品を用いて、１回目の吸収速度試験と同様に２回目の吸収速度試験を行った。さらに、１回目の吸収速度試験開始から２０分後に、１回目の吸収速度試験と同様に３回目の吸収速度試験を行った。同様の試験を３回行い、その平均値を吸収速度とした。
【００４８】
生理食塩水吸収後のトップシートの濡れ感の官能試験は、吸水性物品に生理食塩水１５０ｍＬを吸収させ、吸収直後と３分後のそれぞれにおいて、トップシートの濡れ感を３０人のモニターに評価してもらうことにより行った。濡れ感は以下に示す１〜５の５段階で評価してもらい、その平均値を濡れ感とした。
１：ドライ
２：やや湿っているがドライ
３：やや湿り感を感じる
４：湿り感を感じる
５：手につくほどの湿り感がある
【００４９】
（２）試験結果
試験結果を表１に示す。
【００５０】
【表１】
2014113239.tif 000003
【００５１】
表１の結果から分かるように、エチレン−ビニルアルコール共重合体を含む繊維で構成されたセカンドシートが設けられた吸収性物品１は、他のセカンドシートが設けられた吸収性物品２，３や、セカンドシートが設けられない吸収性物品４よりも、吸収速度が速く、トップシートの濡れ感も低減される結果となった。吸収性物品１は、吸収性物品２〜４よりも、吸収性能に優れ、着用感が良好なものであることが分かる。
【符号の説明】
【００５２】
１：  吸収性物品（尿パッド）
２：  トップシート
３：  バックシート
４：  吸収性コア
５：  セカンドシート
【図１】
2014113239.tif 000004
【図２】
2014113239.tif 000005